(57)【特許請求の範囲】
【請求項１】
伝送システムを構成する複数の伝送装置を監視する監視制御装置において、
前記伝送装置を構成する複数の部品を管理するための情報を、前記複数の伝送装置別に登録しておくための情報記憶手段と、
前記複数の伝送装置のそれぞれに対して、前記伝送装置を構成する複数の部品を識別する情報を、それぞれの部品に設けられた部品情報記憶手段に対して書き込む情報書き込み手段と、
前記情報書き込み手段によって書き込まれた情報を、所定の時点で前記部品情報記憶手段から読み出す情報読み出し手段と、
前記情報読み出し手段によって読み出された情報を、前記所定の時点を示す情報と共に前記情報記憶手段に登録する情報登録手段と
を具備したことを特徴とする監視制御装置。
【請求項２】
前記部品に対する付加情報を入力する入力手段を具備し、
前記情報登録手段は、前記入力手段によって入力された情報を、前記情報読み出し手段によって読み出された情報と関連づけて前記情報記憶手段に登録することを特徴とする請求項１記載の監視制御装置。
【請求項３】
前記情報登録手段は、前記部品が設けられている位置を示す情報に対して、前記情報読み出し手段によって読み出された部品を識別する情報と前記所定の時点を示す情報とを対応づけて、前記情報記憶手段に登録することを特徴とする請求項２記載の監視制御装置。
【請求項４】
前記情報登録手段は、前記情報読み出し手段によって読み出された部品を識別する情報に対して、前記部品が設けられている位置を示す情報と前記所定の時点を示す情報とを対応づけて前記情報記憶手段に登録することを特徴とする請求項２記載の監視制御装置。
【請求項５】
前記情報読み出し手段は、前記部品が実装または未実装となった時点で情報の読み出しを実行することを特徴とする請求項１記載の監視制御装置。
【請求項６】
前記情報読み出し手段は、前記情報書き込み手段によって前記部品に対して情報が書き込まれた時点で情報の読み出しを実行することを特徴とする請求項１記載の監視制御装置。
【請求項７】
前記部品が設けられている位置を示す情報毎に、前記情報読み出し手段によって前記部品が実装または未実装となった時点で読み出された情報と、それぞれの情報が読み出された時点を示す情報と対応づけて表示させる情報表示制御手段を具備したことを特徴とする請求項５記載の監視制御装置。
【請求項８】
前記情報読み出し手段によって読み出された部品を識別する情報毎に、この情報が読み出された部品が設けられている位置を示す情報と、前記情報読み出し手段によって情報の読み出しを実行した前記部品が実装または未実装となった時点を示す情報とを対応づけて表示させる情報表示制御手段を具備したことを特徴とする請求項５記載の監視制御装置。
【請求項９】
前記部品に発生した障害に関する警報情報を取得する警報情報取得手段を具備し、
前記表示制御手段は、前記警報取得手段によって取得された警報情報を、他の情報と共に表示させることを特徴とする請求項７または請求項８記載の監視制御装置。
【請求項１０】
前記情報登録手段によって前記情報記憶手段に登録された情報を出力する出力手段と、
前記出力手段によって出力される情報の出力形態をカスタマイズするカスタマイズ手段とを具備したことを特徴とする請求項１記載の監視制御装置。
【発明の詳細な説明】
【０００１】
【発明の属する技術分野】
本発明は、例えば光海底ケーブルシステムなどの伝送システムにおける伝送装置と接続された通信装置に関する。
【０００２】
【従来の技術】
例えば光海底ケーブルシステムなどの伝送システムは、情報伝送を担う複数の伝送装置（光伝送装置）と、これら伝送装置と接続された監視制御を担う監視制御装置などの通信装置とが設けられている。一般に、伝送装置は、複数の多種多様な基板（例えば数百枚）から構成されており、保守や点検などのために基板の交換などが行われている。
【０００３】
従来、伝送装置を構成する基板の管理は、製造者側で出荷時点で基板に記された基板を識別するためのバーコードをバーコードリーダで読み取り、これを記録することで行っている。伝送システムの管理者側では、伝送装置の基板の保守や点検のために基板の交換をする場合には、作業者が、その交換対象とする基板のバーコードを読み取り、製造者側で作成された記録を更新するなどしている。
【０００４】
【発明が解決しようとする課題】
このように従来の伝送システムでは、伝送装置を構成する基板などの部品については、各基板に記されたバーコードを作業者の操作により読み取り、これを管理する必要があった。このため、基板の交換などは頻繁に行われる作業であるため作業者に対する負担が大きく、また作業者の操作の誤りなどによって記録の信頼性の低下を招くおそれがあった。
【０００５】
本発明は前記のような事情を考慮してなされたもので、伝送装置を構成する基板などの部品の管理に要する負担を軽減すると共に管理の信頼性を向上させることが可能な通信装置を提供することを目的とする。
【０００６】
【課題を解決するための手段】
本発明は、伝送システムを構成する複数の伝送装置を監視する監視制御装置において、前記伝送装置を構成する複数の部品を管理するための情報を、前記複数の伝送装置別に登録しておくための情報記憶手段と、前記複数の伝送装置のそれぞれに対して、前記伝送装置を構成する複数の部品を識別する情報を、それぞれの部品に設けられた部品情報記憶手段に対して書き込む情報書き込み手段と、前記情報書き込み手段によって書き込まれた情報を、所定の時点で前記部品情報記憶手段から読み出す情報読み出し手段と、前記情報読み出し手段によって読み出された情報を、前記所定の時点を示す情報と共に前記情報記憶手段に登録する情報登録手段とを具備したことを特徴とする。
【０００７】
【発明の実施の形態】
以下、図面を参照して本発明の実施の形態を詳細に説明する。この実施形態では、世界標準としてのＳＤＨ（Synchronous Digital Hierarchy ）に即した伝送システムを想定する。
【０００８】
図１は、本発明の実施形態に係わる通信装置（局舎内監視制御装置２）が設置される伝送システムの構成を示すシステム図である。図１においては複数の局舎ＳＴ（ＳＴ−１〜ＳＴ−ｍ）が存在し、各局舎ＳＴ−１〜ＳＴ−ｍにそれぞれ複数の光伝送装置１（１−１〜１−ｎ）が設置されている。光伝送装置１−１〜１−ｎは局舎間を跨る高速側回線（符号付さず）によりリング状に接続され、複数の光伝送装置１−１間、伝送装置１−２間，…，伝送装置１−ｎ間でリングネットワークを形成している。すなわちｎ個のリングネットワークが存在し、各リングネットワークはそれぞれｍ個の光伝送装置１−１，１−２，…，１−ｎから形成される。
【０００９】
各光伝送装置１−１，１−２，…，１−ｎを結ぶ高速側回線のインタフェースには、例えばＳＴＭ−６４（Synchronous Transfer Module-level 64：１０Ｇｂｐｓに相当）などの同期多重回線を採用する。各高速側回線は光信号を伝送するもので、その伝送波長はリングネットワークごとに互いに異なり、これらの回線が波長多重されて波長多重回線ＦＬが形成される。
【００１０】
各局舎ＳＴ−１〜ＳＴ−ｍにおける光伝送装置１−１〜１−ｎは、各局舎内においてそれぞれ局舎内監視制御装置２に接続される。局舎内監視制御装置２は、さらにＬＡＮを介して網内全域に渡る監視制御を担うネットワーク監視制御装置３３に接続される。またＬＡＮには伝送装置４が接続され、この伝送装置４を介して各局舎のネットワーク監視制御装置３同士を結ぶ監視制御用回線ＭＬが形成される。なお、図１に示す監視制御用回線ＭＬは便宜的に表示したもので、論理的には波長多重回線ＦＬを介して伝送されるＳＤＨフレームのＳＯＨ（Section Over Head ）におけるＤＣＣ（Data Communication Channel）などとして実現される。
【００１１】
また、伝送システムは、監視端末５を備えている。監視端末５は、任意の伝送装置１−１〜１−ｎに適宜接続して使用されるもので、図１ではＳＴ―２の光伝送装置１−ｎに接続されている。
【００１２】
図２は、本実施形態における光伝送装置１と局舎内監視制御装置２の機能構成を示すブロック図である。図２には、１つの光伝送装置１のみを図示しているが、自局舎内の複数の光伝送装置１が局舎内監視制御装置２に対して同様の関係があるものとする。
【００１３】
光伝送装置１は、機能制御部１０、通信制御部１２、障害検出部１４、複数の機能部品１６（１６−１〜１６−ｎ）を有している。
【００１４】
機能制御部１０は、装置全体の制御を司るもので、通信制御部１２を介した局舎内監視制御装置２などとの通信、機能部品１６に対する機能制御、障害検出部１４による障害検出制御などを実行する。機能制御部１０には、局舎内監視制御装置２からの指示に応じて機能部品１６に設けられた情報記録部１７に情報を書き込み、また局舎内監視制御装置２からの指示に応じて情報記録部１７から情報を読み出して局舎内監視制御装置２に提供する情報管理制御１０ａの機能が設けられる。
【００１５】
通信制御部１２は、局舎内監視制御装置２などとの通信を制御する。障害検出部１４は、装置を構成する基板などの部品における障害発生を検出する。機能部品１６（１６−１〜１６−ｎ）は、信号伝送などを実現するための各種の部品であり、例えば挿抜が可能に構成された基板であるものとする。機能部品１６（基板）は、光伝送装置１に設けられた複数のシェルフのそれぞれに設けられた複数のスロットに、個々に実装される。機能部品１６（１６−１〜１６−ｎ）には、それぞれ基板を識別するためのシリアル番号などの情報を記録するための情報記録部１７（１７−１〜１７−ｎ）（例えばメモリ）が設けられている。
【００１６】
なお、伝送装置４についても、図２に示す光伝送装置１と同様の機能を設けることが可能である。以下では、光伝送装置１を対象として説明するが、伝送装置４も同様に扱われるものとして説明を省略する。
【００１７】
一方、局舎内監視制御装置２は、機能制御部２０、通信制御部２２、操作部２４、画面表示部２６、情報記憶部２８を有している。
【００１８】
機能制御部２０は、装置全体の制御を司るもので、通信制御部２２を介した光伝送装置１などとの通信制御、操作部２４からの装置に対する指示やデータの入力制御、画面表示部２６において表示される画面の表示制御、情報記憶部２８に対する情報の読み出しや記録などの制御などを実行する。機能制御部２０には、光伝送装置１の機能部品１６に設けられた情報記録部１７に対して情報の書き込みを行うための情報書き込み部２０ａ、機能部品１６の情報記録部１７に記録された情報を所定の時点（機能部品１６に対する実装または未実装の操作が行われたことを検知した時、情報記録部１７に対して情報が書き込まれた時）に自動的に読み出すための情報読み出し部２０ｂ、情報読み出し部２０ｂによって読み出された情報を機能部品１６に対する操作が行われたことを検知した時を示す情報（例えば日付、時刻）と共に情報記憶部２８（データベース２９）に登録するための内部情報登録部２０ｃ、操作部２４などから入力された検索条件に応じて情報記憶部２８（データベース２９）に登録された情報を検索し、この検索によって得られた情報を所定の表示形態によって画面表示部２６において表示させるための情報表示制御部２０ｄ、情報記憶部２８に登録された情報に対する出力形態（表示出力、印刷出力、情報変換出力など）を操作部２４から入力される指示に応じてカスタマイズするためのカスタマイズ部２０ｅなどが設けられる。
【００１９】
通信制御部２２は、光伝送装置１などとの通信を制御する。操作部２４は、作業者による操作に応じて装置に対する指示やデータなどを入力するもので、例えばキーボードやバーコードリーダなどを含んでいる。画面表示部２６は、機能制御部２０の制御のもとで各種情報を表示する。情報記憶部２８は、各種情報を記録するためのもので、複数の光伝送装置１を管理するための各種情報をデータベース２９として登録する。データベース２９には、例えば財番管理情報テーブル２９ａ（１）（２）、警報情報管理テーブル２９ｂ、付加情報管理テーブル２９ｃが含まれている。
【００２０】
図３は、財番管理情報テーブル２９ａ（１）のデータ構成の一例を示している。財番管理情報テーブル２９ａ（１）は、局舎内監視制御装置２が監視制御の対象とする自局舎内の全ての光伝送装置１について、それぞれに実装された全ての基板（機能部品１６）を、実装位置と実装された（あるいは未実装になった）日付時刻とを含む財番管理情報によって管理するためのテーブルである。図３に示すように、財番管理情報テーブル２９ａ（１）には、基板が実装されている物理的位置を示すロケーション番号と、このロケーション番号が示す位置に初期状態において実装された基板に関する初期基板構成情報と、基板交換に伴って基板交換履歴情報が登録されているか否かを示す履歴フラグ（ＯｎまたはＯｆｆ）と、対応するロケーション番号が示す位置における基板交換の状況を示す基板交換履歴情報とが、対応づけて登録される。初期基板構成情報には、基板のシリアル番号と基板実装の日付時刻とからなる財番管理情報の他、対応するシリアル番号が示す基板に対してネットワークパスが設定されたはパス設定の日付時刻、同基板に対してネットワークパスが削除されたパス削除の日時時刻の情報を含んでいる。基板交換履歴情報には、財番管理情報（基板のシリアル番号（あるいは未実装のステータスを表す値）と基板実装の日付時刻）の他、実装された基板に対する付加情報（付加情報管理テーブル２９ｃに登録されている）を示すメモデータ識別子と、対応するシリアル番号が示す基板に対してネットワークパスが設定されたはパス設定の日付時刻、同基板に対してネットワークパスが削除されたパス削除の日時時刻の情報を含んでいる。基板交換履歴情報は、ロケーション番号が示す位置において基板が外された時及び実装された時に、順次登録される。
【００２１】
図４は、財番管理情報テーブル２９ａ（２）のデータ構成の一例を示している。財番管理情報テーブル２９ａ（２）は、図３に示す財番管理情報テーブル２９ａ（１）がロケーション番号単位で各情報を登録しているのに対し、基板のシリアル番号単位で各情報を登録するデータ構成となっている。図４に示すように、財番管理情報テーブル２９ａ（２）には、基板のシリアル番号と、初期基板構成情報と、履歴フラグと、基板交換履歴情報とが、対応づけて登録される。ただし、初期基板構成情報には、基板が実装されている物理的位置を示すロケーション番号と、このロケーション番号が示す位置に初期状態において基板が実装された日付時刻と、対応するシリアル番号が示す基板に対してネットワークパスが設定されたパス設定の日付時刻、同基板に対してネットワークパスが削除されたパス削除の日時時刻の情報を含んでいる。また、基板交換履歴情報には、ロケーション番号と、実装された基板に対する付加情報を示すメモデータ識別子と、基板が実装された日付時刻と、対応するシリアル番号が示す基板に対してネットワークパスが設定されたはパス設定の日付時刻、同基板に対してネットワークパスが削除されたパス削除の日時時刻の情報を含んでいる。基板交換履歴情報は、シリアル番号が示す基板が外された時及び実装された時に、順次登録される。
【００２２】
局舎内監視制御装置２では、財番管理情報テーブル２９ａ（１）（２）の両方で管理しても良いし、何れか一方で管理することもできる。この場合、例えば、財番管理情報テーブル２９ａ（１）で管理している場合、必要に応じて財番管理情報テーブル２９ａ（１）から財番管理情報テーブル２９ａ（２）を生成して利用することができる。
【００２３】
なお、以下の説明では、説明を簡略化するために財番管理情報テーブル２９ａ（１）を対象にして説明する（単に財番管理情報テーブル２９ａと表記する）。
【００２４】
図５（ａ）は、警報情報管理テーブル２９ｂのデータ構成の一例を示している。警報情報管理テーブル２９ｂは、光伝送装置１において障害が発生した場合に、光伝送装置１から通知される警報が発生した主旨の通知内容をもとに得られる警報情報を登録するためのテーブルである。図５（ａ）に示すように、警報情報管理テーブル２９ｂには、警報情報として、障害が発生した基板が実装されている物理的位置を示すロケーション番号と、警報発生時刻と、基板種別と、障害が発生した基板を示すシリアル番号と、警報ランクと、警報の詳細の各情報が対応づけて登録される。
【００２５】
図５（ｂ）は、付加情報管理テーブル２９ｃのデータ構成の一例を示している。付加情報管理テーブル２９ｃは、光伝送装置１において障害が発生した際に、障害に関して入力される付加情報、例えばテキストデータによるメモデータを登録するためのテーブルである。図５（ｂ）に示すように、付加情報管理テーブル２９ｃには、メモデータ識別子と、入力されたメモデータとが対応づけて登録される。付加情報管理テーブル２９ｃのメモデータ識別子は、基板に障害が発生して新たな基板に交換され、その時にメモデータが入力された場合に、財番管理情報テーブル２９ａに基板交換履歴情報として登録されたメモデータ識別子と同じものである。なお、図５（ｂ）では、メモデータのみを示しているが、他の情報についてもメールデータ識別子と対応づけて登録することができる。
【００２６】
次に、本実施形態における伝送システムにおける局舎内監視制御装置２による、光伝送装置１を構成する基板などの機能部品１６の管理動作について説明する。
【００２７】
本実施形態における局舎内監視制御装置２は、各光伝送装置１あるいは光伝送装置１を構成する全ての基板（機能部品１６）に対して、それぞれに設けられた情報記録部１７（メモリ）にシリアル番号を書き込むことができる。
【００２８】
例えば、局舎内監視制御装置２の機能メニューから基板に対するシリアル番号の書き込み処理の実行を指示できるようにしておく。操作部２４からシリアル番号の書き込み処理の実行指示が入力されると、機能制御部２０の情報書き込み部２０ａは、シリアル番号の書き込み処理用の画面を通じて、シリアル番号の書き込み（書き替え）を行いたい基板の指定を入力すると共に、この基板に対して書き込むシリアル番号を入力する。シリアル番号の入力は、操作部２４を構成するキーボードまたはバーコードリーダを通じて入力されるものとする。局舎内監視制御装置２（情報書き込み部２０ａ）は、入力されたシリアル番号を読み取って、値の正常性をチェックした後、指定された基板が実装されている光伝送装置１に対してシリアル番号の書き込み要求を送出する。
【００２９】
光伝送装置１は、局舎内監視制御装置２からシリアル番号の書き込み要求を受信すると、機能制御部２０の情報管理制御１０ａにより、書き込み対象とする基板のメモリに対して、指定されたシリアル番号の書き込みを実行する。
【００３０】
光伝送装置１は、局舎内監視制御装置２からのシリアル番号の書き込み要求に応じて、シリアル番号の書き込みを実行すると、局舎内監視制御装置２に対してシリアル番号変更通知を送信する。局舎内監視制御装置２は、シリアル番号変更通知を受信すると、内部情報登録部２０ｃにより財番管理情報テーブル２９ａに対する自動更新オペレーションに従って、シリアル番号が新たに書き込まれた基板に対する情報の登録あるいは更新を実行する。これにより、局舎内監視制御装置２の財番管理情報テーブル２９ａにおいて、各光伝送装置１に実装された基板についての情報が一元管理される。
【００３１】
次に、基板（機能部品１６）に書き込まれたシリアル番号を利用した管理について説明する。
ここでは、図６に示す状況を想定して説明する。すなわち、ある光伝送装置１（伝送装置番号を＃１とする）に設けられたシェルフのスロット（シェルフ番号を＃１、スロット番号を＃１とする）に実装されていた基板（機能部品１６）（基板のシリアル番号をＡとする）が故障したため、代替として同スロットに、通電型スペアラック（装置番号＃９）に収容されていたスペア基板が実装される場合を想定する。なお、通電型スペアラックは図示していないが、光伝送装置１と同様に情報の書き込みまたは読み出しが可能であるものとする。ここでは、通電型スペアラックに設けられたシェルフのスロット（シェルフ番号を＃１、スロット番号を＃１とする）に収容されたスペア基板（基板のシリアル番号をＤとする）が使用されるものとする。
【００３２】
まず、光伝送装置１では、障害検出部１４により基板（機能部品１６）における障害を検出すると（図６（１））、機能制御部１０から通信制御部１２を通じて、局舎内監視制御装置２に対して発生した障害の内容を含む警報通知を送信する。
【００３３】
局舎内監視制御装置２は、ある光伝送装置１から警報通知を受信すると、機能制御部２０において警報通知の内容を解析し、警報を発生した伝送装置番号（＃１）、シェルフ番号（＃１）、スロット番号（＃１）、警報発生時刻、基板種別（名称）、基板のシリアル番号（Ａとする）、警報ランク、及び詳細の情報を、情報記憶部２８の警報情報管理テーブル２９ｂに蓄積する。収集した情報は、スロット番号単位、及びシリアル番号単位に統計処理が施される。ここで、画面表示の指示入力が、例えば操作部２４からあった場合には、情報表示制御部２０ｄは、統計処理が施された情報を読み出して、例えば一覧形式またはグラフ形式で表示する。
【００３４】
次に、前述した警報通知を受けて、障害が発生した基板の交換が実施された場合の局舎内監視制御装置２の内部処理について説明する。
【００３５】
光伝送装置１のスロットに実装されている障害が発生した基板（シリアル番号Ａ）が抜かれると、光伝送装置１の機能制御部１０は、局舎内監視制御装置２に対して、自装置のシェルフ＃１のスロット番号＃１において基板が未実装になった旨の通知を行う。局舎内監視制御装置２は、光伝送装置１からの通知を受信すると、受信した通知内容を解析し、情報書き込み部２０ａにより通知元の光伝送装置１（伝送装置番号＃１）に対して、シェルフ番号＃１のスロット番号＃１に実装されている基板のシリアル番号の読み出しを実行する。光伝送装置１は、シリアル番号の読み出し要求に対して、情報管理制御１０ａにより該当スロットの基板に対してシリアル番号を読み出して局舎内監視制御装置２に出力する。ここでは、該当スロットに基板未実装のため、シリアル番号ではなく、未実装のステータスに相当する値（以下、Ｂｌａｎｋと記述）を局舎内監視制御装置２に出力する。
【００３６】
局舎内監視制御装置２は、内部情報登録部２０ｃによって、光伝送装置１から読み出した値について、財番管理情報テーブル２９ａのシリアル番号の読み出しの対象となっている基板の実装位置位置、すなわち伝送装置番号＃１のシェルフ番号＃１のスロット番号＃１（以下、ロケーション番号＃１＃１＃１と記述）に対して登録されている最新の情報と照会する。
【００３７】
現時点では、財番管理情報テーブル２９ａのロケーション番号＃１＃１＃１に対して登録されている最新の情報は、障害が発生した基板のシリアル番号Ａが実装時のタイムスタンプと共に登録されている（初期基板構成情報が示す情報）。局舎内監視制御装置２は、内部情報登録部２０ｃにより、財番管理情報テーブル２９ａのロケーション番号＃１＃１＃１に対して、光伝送装置１から読み出した値（Ｂｌａｎｋ）をシリアル番号の代わりに、この値に対する未実装となった時のタイムスタンプ（日付時刻）とともに基板交換履歴情報として追加登録する。さらに、この時、財番管理情報テーブル２９ａのロケーション番号＃１＃１＃１に対して履歴フラグをＯｎにする。この履歴フラグは、該当スロット番号において、基板交換履歴情報が登録されたことを示すためのものであり、ロケーション番号毎に財番管理情報を読み出して画面表示する際に参照される（後述する）。
【００３８】
次に、障害が発生した基板と交換するためのスペア基板が通電型スペアラック（図６（ｂ））から抜き出される。ここでは、通電型スペアラックのシリアル番号Ｄのスペア基板が代替用に使用されるものとする。通電型スペアラックは、シェルフ＃１のスロット番号＃１において基板が未実装となったことを局舎内監視制御装置２に通知する。
【００３９】
通電型スペアラック（装置番号を＃９）から基板が未実装になった通知を受信すると、局舎内監視制御装置２は、受信内容を解析し、通知元の通電型スペアラック（伝送装置番号＃９）に対して、シェルフ番号＃１のスロット番号＃１に実装されている基板のシリアル番号の読み出しを実行する。通電型スペアラックは、シリアル番号の読み出し要求に対して、該当スロットの基板に対してシリアル番号を読み出して局舎内監視制御装置２に出力する。ここでは、該当スロットが基板未実装となったため、シリアル番号ではなく、未実装のステータスに相当する値（Ｂｌａｎｋ）を局舎内監視制御装置２に出力する。
【００４０】
局舎内監視制御装置２は、内部情報登録部２０ｃにより、通電型スペアラックから読み出した値について、財番管理情報テーブル２９ａのシリアル番号の読み出しの対象となっている基板の実装位置位置、すなわちロケーション番号＃９＃１＃１に対して登録されている最新の情報と照会する。その結果、局舎内監視制御装置２は、内部情報登録部２０ｃにより、ロケーション番号＃９＃１＃１においてシリアル番号が変更されたことを検知し、通電型スペアラックから読み出した値（Ｂｌａｎｋ）をタイムスタンプ（日付時刻）とともに基板交換履歴情報として追加登録し、財番管理情報テーブル２９ａを更新する（図３中のロケーション番号＃９＃１＃１に対して登録された基板交換履歴情報）。
【００４１】
次に、通電型スペアラックから抜き出されたシリアル番号Ｄのスペア基板が、局舎内監視制御装置２の伝送装置番号＃１のシェルフ＃１のスロット＃１に実装される（図６（２）。
【００４２】
光伝送装置１（伝送装置番号＃１）は、シェルフ＃１のスロット番号＃１において基板（シリアル番号Ｄ）が実装されると、局舎内監視制御装置２に対して、シェルフ＃１のスロット番号＃１において、基板が実装された主旨の通知を行う。局舎内監視制御装置２は、光伝送装置１（伝送装置番号＃１）からの通知を受信し、基板に対する操作が行われたことを検知すると、情報読み出し部２０ｂによって、通知元の光伝送装置１に対して、シェルフ番号＃１のスロット番号＃１に実装されている基板のシリアル番号の読み出しを実行する。光伝送装置１は、シリアル番号の読み出し要求に対して、情報管理制御１０ａにより該当スロットの基板に対してシリアル番号を読み出して局舎内監視制御装置２に出力する。
【００４３】
局舎内監視制御装置２は、光伝送装置１から読み出した値（シリアル番号Ｄ）について、内部情報登録部２０ｃにより、財番管理情報テーブル２９ａのロケーション番号＃１＃１＃１に対して登録されている最新の情報（現在、Ｂｌａｎｋ）と照会する。内部情報登録部２０ｃは、この照会によって、ロケーション番号＃１＃１＃１でシリアル番号が変更になったことを検知し、光伝送装置１から読み出した値（シリアル番号Ｄ）をタイムスタンプ（日付時刻）とともに基板交換履歴情報として追加登録する。
【００４４】
一方、障害が発生したシリアル番号Ａの基板は、故障修理のため一時工場へ返却され（図６（３））、この情報を基板管理情報テーブル（図示せず）に登録する。また、工場においてシリアル番号Ａの基板が修理された後は、スペア基板として、例えば通電型スペアラックで空いているシェルフ＃１のスロット番号＃１が示すスロットに戻される。
【００４５】
ところで、光伝送装置１または通電型スペアラックに実装されていない基板に対しては、局舎内監視制御装置２からシリアル番号を自動的に読み出すことができない。局舎内監視制御装置２は、こうした基板に対しては次のように対処する。例えば、局舎内監視制御装置２の機能メニューからシリアル番号を手動入力する処理の実行を指示できるようにしておく。操作部２４からシリアル番号の書き込み処理の実行指示が入力されると、機能制御部２０の情報読み出し部２０ｂは、シリアル番号の取得用画面を通じて、基板の表面にシールなどで設けられているシリアル番号バーコードを付属のバーコードリーダから読み取り、あるいはキーボードから入力されたシリアル番号を読み取る。内部情報登録部２０ｃは、情報読み出し部２０ｂにより読み取ったシリアル番号を、タイムスタンプ（日付時刻）と共に財番管理情報テーブル２９ａに記憶する。
【００４６】
光伝送装置１や通電型スペアラックに実装されている場合とは異なり、このような例外的な場合は、財番管理情報テーブル２９ａで管理しているロケーション番号を自動的に読み出し、かつ、一義的に表現するのが不可能なため、財番管理情報テーブル２９ａでは、光伝送装置１及び通電型スペアラック以外のロケーションに収容されていることを示すカテゴリ（Ｏｔｈｅｒとする）に分類して管理する（図３参照）。
【００４７】
さらに、局舎内監視制御装置２の機能メニューから、財番管理情報テーブル２９ａ中の任意の財番管理情報を指定して、基板のステータスやロケーションに関する詳細情報、あるいは、発生した障害に関連するメモデータなど、基板に関する保守に必要な付加情報を操作部２４（キーボード）から入力して、指定した財番管理情報と対応づけて登録することができる。
【００４８】
この場合、局舎内監視制御装置２は、入力されたテキストデータを読み取って付加情報管理テーブル２９ｃに記憶し、同時に、財番管理情報テーブル２９ａの指定された財番管理情報に対してメモデータ識別子を登録する。このメモデータ識別子は、付加情報管理テーブル２９ｃに登録したテキストデータ（メモデータ）と対応付けて、財番管理情報テーブル２９ａの何れの付加情報であるかを管理するために登録される。なお、メモデータ識別子は、後に、付加情報が削除された場合に、付加情報管理テーブル２９ｃからテキストデータを削除するとともに削除（Ｏｆｆ）される。
【００４９】
このようにして、財番管理情報テーブル２９ａを構築することで、財番管理情報テーブル２９ａから光伝送装置１や通電型スペアラックのロケーション番号単位に初期基板構成情報及び基板交換履歴情報として登録された財番管理情報を読み出して、一覧表示あるいはグラフィカル表示させることができる。これにより、各光伝送装置１の全スロットにおける基板交換履歴を簡単に一括して把握することができる。
【００５０】
例えば、局舎内監視制御装置２の機能メニューからロケーション番号単位の情報検索する処理の実行を指示できるようにしておく。操作部２４からロケーション番号単位の情報検索する処理の実行指示が入力されると、情報表示制御部２０ｄは、財番管理情報テーブル２９ａ（１）（図３参照）を検索して、各ロケーション番号に対応づけて登録された財番管理情報（シリアル番号、日付時刻）、パス設定及び削除の日付時刻を読み出して、予め決められた所定の表示形態で一覧表示する。基板交換履歴情報については、履歴フラグがＯｎとなっているロケーション番号に対する情報のみを読み出して表示する。
【００５１】
また、ロケーション番号単位ではなく、シリアル番号単位で情報を読み出して、一覧表示あるいはグラフィカル表示することで、各基板のロケーション移動履歴や故障・修理履歴を把握することも可能になる。
【００５２】
この場合も、機能メニューからシリアル番号単位の情報検索する処理の実行を指示できるようにしておき、この処理の実行指示が入力された場合に、情報表示制御部２０ｄは、財番管理情報テーブル２９ａ（２）（図４参照）を検索して、各シリアル番号に対応づけて登録されたロケーション番号、日付時刻、パス設定及び削除の日付時刻を読み出して、予め決められた所定の表示形態で一覧表示する。基板交換履歴情報については、履歴フラグがＯｎとなっているシリアル番号に対する情報のみを読み出して表示する。
【００５３】
また、前述したロケーション番号単位またはシリアル番号単位での情報を表示する際に、付加情報管理テーブル２９ｃ（図５（ｂ））に登録されている付加情報（メモデータの内容）を組み合わせて表示することもできる。情報表示制御部２０ｄは、財番管理情報テーブル２９ａ（１）（２）の基板交換履歴情報の内容を表示する際に、メモデータ識別子が登録されている場合、このメモデータ識別子に対応する付加情報管理テーブル２９ｃに登録されたメモデータを読み出して表示する。
【００５４】
また、同様にしてロケーション番号単位またはシリアル番号単位での情報を表示する際に、警報情報管理テーブル２９ｂ（図５（ａ））に登録されている警報情報を組み合わせて表示することもできる。情報表示制御部２０ｄは、財番管理情報テーブル２９ａ（１）（２）に登録されているロケーション番号の情報をもとに、警報情報管理テーブル２９ｂから該当する警報情報を読み出して表示する。
【００５５】
こうして、財番管理情報テーブル２９ａに登録しているネットワークパスの設定日時及び削除日時をロケーション番号単位あるいはシリアル番号単位で読み込んで表示すると共に、付加情報管理テーブル２９ｃに登録された付加情報、あるいは警報情報管理テーブル２９ｂに登録された警報情報を組み合わせて表示することにより、ロケーション番号毎／シリアル番号毎の警報発生履歴を表示することができる。また、財番管理情報テーブル２９ａに登録された各情報をもとに警報発生率や基板の使用率を算出し、これらの情報と基板交換履歴の相関関係などを画面中において表現することも可能になる。そして、基板の財番管理情報とパスの設定及び削除の履歴に警報情報を組み合わせることにより、スロット番号単位だけでなく、何れのシリアル番号の基板が何れのロケーション番号が示す位置で障害が発生したかといった、より詳細な単位での警報情報収集が可能となる。さらに、任意のシリアル番号の任意のロケーション番号における警報発生率の統計結果や、ロケーション番号単位での警報発生率とシリアル番号単位での警報発生率を比較して得られた結果によって、不具合の原因を絞り込んで行く手がかりにもなり、基板交換を実施する際の判断材料にもなる。このように、伝送装置の保守運用を行うにあたり、ユーザにとって有望な情報を提供することができる。
【００５６】
なお、前述した説明では、光伝送装置１を構成する機能部品１６（基板）のシリアル番号は、各機能部品１６に設けられた情報記録部１７に書き込むものとして説明しているが、シリアル番号の管理を司る特定の部品、すなわち図２中に示す番号管理部品１８を設け、この番号管理部品１８の情報記憶部１８ａに各機能部品１６−１〜１６−ｎのシリアル番号を書き込む構成とすることもできる。局舎内監視制御装置２は、機能部品１６に設けられた情報記録部１７から読み出す場合と同様にして、番号管理部品１８からシリアル番号を読み出すことで機能部品１６を管理する。
【００５７】
また、情報表示制御部２０ｄによって表示される各種情報に対する表示形態については、カスタマイズ部２０ｅによって、操作部２４から入力される指示に応じてカスタマイズすることができる。カスタマイズ部２０ｅは、例えば画面表示部２６においてカスタマイズ可能な事項についてのメニューを表示し、このメニューを通じて操作部２４から入力されるユーザからの指示に応じて表示形態、例えば情報を表示する際の表示対象とする情報や表示形式、表示条件ならびに表示項目などについて、多様な組み合わせによる設定を行う。内部情報登録部２０ｃは、情報表示制御部２０ｄによって設定された表示形態に応じて、データベース２９の各テーブルから取得した情報についての表示制御を実行する。
【００５８】
また、カスタマイズ部２０ｅは、表示出力する際の表示形態に対する設定だけではなく、情報記憶部２８に登録された情報の印刷出力や情報変換出力する際の形態に対する設定をすることもできる。例えば、帳票形式での印刷出力、情報をＣＳＶ（Comma Separated Value）形式に変換した上でのローカルディスク（図示せず）への出力保存などを、操作部２４から入力されるユーザからの指示に応じて設定する。その他の印刷出力や他のデータ形式による保存などについても設定できるものとする。
【００５９】
また、前述した説明では、光伝送装置１（伝送装置４）を構成する部品（基板）を管理する場合について説明しているが、伝送システムを構成している伝送装置以外の装置や機器（ネットワーク監視制御装置３や局舎内監視制御装置２、監視端末５、ルータやハブなど）についても、前述した説明と同様にして、その最小保守部品（基板など）を単位にして、シリアル番号の履歴管理を行うようにすることもできる。ネットワーク監視制御装置３や局舎内監視制御装置２、監視端末５に対しては、光伝送装置１に対する場合と同様にして、それぞれの部品に記録されたシリアル番号などの情報を自動的に読み出し、日付時刻の情報と共に財番管理情報テーブル２９ａ（３）に登録する。
【００６０】
図７には、伝送システムを構成している伝送装置以外の装置を管理する財番管理情報テーブル２９ａ（３）のデータ構成の一例を示している。図７に示すように、財番管理情報テーブル２９ａ（３）は、装置または機器の種別を示す装置／機器種別情報と、この装置／機器種別情報が示す装置または機器のシリアル番号と初期設置時の日付時刻を含む初期構成情報と、交換に伴って交換履歴情報が登録されているか否かを示す履歴フラグ（ＯｎまたはＯｆｆ）と、該当する装置または機器の交換の状況を示す交換履歴情報とが、対応づけて登録される。交換履歴情報には、財番管理情報（装置または機器のシリアル番号と設置の日付時刻）の他、実装された装置または機器に対する付加情報を示すメモデータ識別子が、伝送システムから外された時及び設置された時に、順次登録される。
【００６１】
財番管理情報テーブル２９ａ（３）により伝送システムを構成する装置／機器を管理する場合、前述したように自動的にそれぞれからシリアル番号読み出せない場合、局舎内監視制御装置２の機能メニューからシリアル番号の取得画面を通じて、各部品の表面にシールなどで設けられているシリアル番号バーコードを付属のバーコードリーダを用いて読み取り、あるいは局舎内監視制御装置２のキーボードから入力されたシリアル番号を読み取り、これをタイムスタンプと共に財番管理情報テーブル２９ａ（３）に登録する。ただし、これらの装置や機器の場合には、伝送装置の基板管理で用いているロケーション番号の概念は存在しないため、財番管理情報テーブル２９ａにはロケーション番号を用いない。
【００６２】
なお、前述した説明では、本発明の通信装置を局舎内監視制御装置２において実現して、伝送システムを構成する装置／機器の部品のシリアル番号を読み出して管理するとしているが、複数の伝送装置と接続された他の通信装置、例えばネットワーク監視制御装置３に前述した局舎内監視制御装置２と同様の機能を設けることで、ネットワーク監視制御装置３において管理することもできる。また、局舎内監視制御装置２やネットワーク監視制御装置３において本発明の通信装置を実現するのではなく、複数の伝送装置と接続された独立した通信装置を伝送システムに設けることも可能である。
【００６３】
また、本発明は、前述した実施形態に限定されるものではなく、実施段階ではその要旨を逸脱しない範囲で種々に変形することが可能である。更に、前記実施形態には種々の段階の発明が含まれており、開示される複数の構成要件における適宜な組み合わせにより種々の発明が抽出され得る。例えば、実施形態に示される全構成要件から幾つかの構成要件が削除されても効果が得られる場合には、この構成要件が削除された構成が発明として抽出され得る。
【００６４】
【発明の効果】
以上詳述したように本発明によれば、伝送装置を構成する基板などの部品の管理に要する負担を軽減すると共に管理の信頼性を向上させることが可能となる。
【図面の簡単な説明】
【図１】本発明の実施形態に係わる監視制御装置（局舎内監視制御装置２）が設置される伝送システムの構成を示すシステム図。
【図２】本実施形態における光伝送装置１と局舎内監視制御装置２の機能構成を示すブロック図。
【図３】財番管理情報テーブル２９ａ（１）のデータ構成の一例を示す図。
【図４】財番管理情報テーブル２９ａ（２）のデータ構成の一例を示す図。
【図５】警報情報管理テーブル２９ｂと付加情報管理テーブル２９ｃのデータ構成の一例を示す図。
【図６】光伝送装置１に実装された基板に対する扱い状況の一例を示す図。
【図７】伝送システムを構成している伝送装置以外の装置を管理する財番管理情報テーブル２９ａ（３）のデータ構成の一例を示す図。
【符号の説明】
ＳＴ−１〜ＳＴ−ｍ…局舎
１−１〜１−ｎ…光伝送装置
ＦＬ…波長多重回線
ＭＬ…監視制御用回線
２…局舎内監視制御装置
３…ネットワーク監視制御装置
４…伝送装置
１０，２０…機能制御部
１０ａ…情報管理制御
１２，２２…通信制御部
１４…障害検出部
１６…機能部品（基板）
１７…情報記録部
２０ａ…情報書き込み部
２０ｂ…情報読み出し部
２０ｃ…内部情報登録部
２０ｄ…情報表示制御部
２０ｅ…カスタマイズ部
２４…操作部
２６…画面表示部
２８…情報記憶部
２９ａ…財番管理情報テーブル
２９ｂ…警報情報管理テーブル
２９ｃ…付加情報管理テーブル
【図１】
0003959299.tif 000002
【図２】
0003959299.tif 000003
【図３】
0003959299.tif 000004
【図４】
0003959299.tif 000005
【図５】
0003959299.tif 000006
【図６】
0003959299.tif 000007
【図７】
0003959299.tif 000008